(57)【要約】【課題】  ハンドルがオン、オフ及びトップの状態に係わらず、可動接点が開閉されているかを外部から確実に目視できる開閉表示機構部を備えた配線用遮断器を提供する。  【解決手段】  可動接触子６の開閉状態をカバーに設けた表示孔から表示する開閉表示機構部８を、リンク機構部４を配置したフレーム２の側板部２１に保持させる。【選択図】  図８
2006260872.tif 000002
【特許請求の範囲】
【請求項１】
可動接触子の開閉状態をカバーに設けた表示孔から表示する開閉表示機構部を、リンク機構部を配置したフレームの側板部に保持させたことを特徴とする配線用遮断器。
【請求項２】
フレームの側板部間にリンク機構部を配置して、フレームの側板部外側から開閉表示機構部を保持させた請求項１に記載の配線用遮断器。
【請求項３】
カバーに開閉表示機構部がフレームの側板部から外れるの防止する仕切り板を設けた請求項１又は２に記載の配線用遮断器。
【発明の詳細な説明】
【技術分野】
【０００１】
本発明は、ハンドルがオン、オフ及びトリップの状態に係わらず、可動接点が開閉されているかを外部から目視できる開閉表示機構部を備えた配線用遮断器に関するものである。
【背景技術】
【０００２】
従来の開閉表示機構部を備えた配線用遮断器は、開閉表示機構部を配線用遮断器の合成樹脂製の筐体に保持させて、開閉機構部の可動接触子の開離動作に連動させて該開閉表示機構部の表示部を筐体に設けた表示孔から目視させて開閉状態を確認するものであった（特許文献１）。
【０００３】
ところが、このような開閉表示機構部を配線用遮断器の合成樹脂製の筐体に保持させたものにあっては、筐体に開閉表示機構部とフレーム等の開閉機構部とを別異に組付けるため、それぞれの組付け公差が相乗的に働き開閉表示機構部が的確な可動接点の開閉状態の表示が行えない場合がある。
【特許文献１】特開平１１−６７０４７号公報
【発明の開示】
【発明が解決しようとする課題】
【０００４】
本発明は前記のような問題点を解決して、ハンドルがオン、オフ及びトリップの状態に係わらず、可動接点が開閉されているかを外部から的確に目視できる開閉表示機構部を備えた配線用遮断器を提供することである。
【課題を解決するための手段】
【０００５】
本発明の配線用遮断器は、可動接触子の開閉状態をカバーに設けた表示孔から表示する開閉表示機構部を、リンク機構部を配置したフレームの側板部に係合支持させたことを特徴とするものを請求項１に記載の発明とする。また、この発明において、フレームの側板部間にリンク機構部を配置して、フレームの側板部外側から開閉表示機構部を保持させたものを請求項２に記載の発明とし、さらに、これらの発明において、開閉表示機構部がフレームの側板部から外れるの防止する仕切り板をカバーに設けたものを請求項３に記載の発明とする。
【発明の効果】
【０００６】
前記のような請求項１に記載の発明は、開閉表示機構部を、リンク機構部を保配置したフレームの側板部に保持させたものであるので、開閉表示機構部の作動は筐体とフレームとの間の組付け公差に影響されることがないので、的確に可動接点の開閉状態を表示できるものである。
【０００７】
また、請求項２に記載の発明は、フレームの側板部間にリンク機構部を配置して、フレームの側板部外側から開閉表示機構部を保持させたものであるから、開閉表示機構部の取り付けは容易なものであり、また、フレームにリンク機構部を組付け後においても取り付けできるものである。さらに、カバーに開閉表示機構部がフレームの側板部から外れるの防止する仕切り板を設けたものとすれば、カバーをベース本体に被せるだけで開閉表示機構部がフレームから外れることがなく、開閉表示機構部とフレームとの間に別異に外れ防止手段を設ける必要がないものである。
【発明を実施するための最良の形態】
【０００８】
次に、本発明の好ましい実施の形態を図面に基づき説明する。
図１及び図８において、１はベース本体１ａとカバー１ｂよりなる配線用遮断器の合成樹脂製の筐体である。そのベース本体１ａには両側板部２１、２１の上端を梁部２２により連結した金属製のフレーム２が取り付けられている。そして、フレーム２にはハンドル３がハンドル軸３ａにより枢着されている。また、フレーム２の両側板部２１、２１間にはハンドル３と連動するリンク機構部４が配置されている。５はリンク機構部４により押圧レバー部５１を押圧、解除されて回動するクロスバーであり、このクロスバー５には両端に可動接点６ａ、６ａを設けた回転２点式の可動接触子６が軸支されており、前記ハンドル３がオン状態をとる時にクロスバー５を押圧状態として、可動接点６ａは固定接点７ａと接触させ回路を閉じ、また、ハンドル３がオフ状態、トリップ状態をとる時にクロスバー５の押圧を解除した状態で、可動接点６ａは固定接点７ａとの接触を解かれて回路を開くようになっている。
【０００９】
８は前記可動接触子６の開閉状態をカバー１ｂに設けた表示孔１１から表示する開閉表示機構部である。この開閉表示機構部８はリンク機構部４を配置したフレーム２の側板部２１に保持させている。具体的には、開閉表示機構部８は揺動保持体８１の内側面に突設した軸部８１ａをフレーム２の側板部２１に透設した軸孔部２１ａに軸支して揺動自在に保持し、該揺動保持体８１の下端に側板部２１に設けた切欠部２１ｂを介して前記クロスバー５の押圧レバー部５１に臨ませた脚部８２を形成したうえ、該揺動保持体８１の上端にカバー１ｂに設けた表示孔１１に臨むの表示部８３を設けたものである。
【００１０】
そして、該開閉表示機構部８は常時バネ８４により表示部８３の開極表示部８３ｂをカバー１ｂに設けた表示孔１１から臨ませるように付勢して、図１に示すオン状態であるクロスバー５が押圧状態である閉極の場合にはクロスバー５の押圧レバー部５１が開閉表示機構部８の脚部８２をバネ８４に抗して押圧して表示部８３の閉極表示部８３ａをカバー１ｂに設けた表示孔１１から臨ませるものとしている。また、図３、図４に示すオフ状態及び図５に示すトリップ状態であるクロスバー５が押圧状態を解除して可動接触子６の開極の場合にはクロスバー５の押圧レバー部５１が開閉表示機構部８の脚部８２を押圧を解き、表示部８３の開極表示部８３ｂをカバー１ｂに設けた表示孔１１から臨ませるものとしている。
【００１１】
これにより、回路に異常電流が流れ、引き外し機構がトリガ９を解除方向に押圧して、該トリガ９に係止している前記リンク機構部４のラッチ４１の係止を解き、リンク機構部４をオン状態からトリップ状態として、クロスバー５の押圧を解除して可動接触子６を開極させるとともにハンドル３もトリップ状態となった場合に、クロスバー５の押圧レバー部５１が開閉表示機構部８の脚部８２への押圧を解き、表示部８３の開極表示部８３ｂをカバー１ｂに設けた表示孔１１から臨むものとなり、可動接触子６の開極を的確に確認できるものである。
【００１２】
また、図６、図７に示すように回路に異常電流が流れてハンドル３がトリップ状態となっても、可動接点が溶着して可動接触子６が開極しない場合には、クロスバー５は押圧状態のままとなるので、クロスバー５の押圧レバー部５１が開閉表示機構部８の脚部８２をバネ８４に抗して押圧した状態を維持するので、開閉表示機構部８の表示部８３の閉極表示部８３ａがカバー１ｂに設けた表示孔１１から臨ませた状態のままとなり、ハンドル３がトリップ状態であっても、可動接触子６が閉じられて回路が遮断されていないことを視認することができるものである。
【００１３】
さらに、カバー１ｂには開閉表示機構部８がフレーム２の側板部２１から外れるの防止する仕切り板１２を設けている。この仕切り板１２は図２に示すように、カバー１ｂに設ける極間絶縁隔壁を内側に肉厚として形成して、開閉表示機構部８の上端の表示部８３の一端面に沿わせて、開閉表示機構部８の揺動保持体８１の内側面に突設した軸部８１ａがフレーム２の側板部２１に透設した軸孔部２１ａから離脱するのを防止している。
【００１４】
なお、前記バネ８４は図８、図９に示すようにつる巻きバネよりなり、開閉表示機構部８の揺動保持体８１の軸部８１ａより下方の外面に突設した突起部８１ｂにコイル部８４ａを巻回して、つる部を揺動保持体８１の下方外面に設けた枠部８１ｃに挿入し、つる部に一端を枠部８１ｃの内側端面に当接させ係止し、他方のつる部８４ｂをフレーム２の水平取付脚部２３に当接させて開閉表示機構部８から離脱することのない構成としている。そして、開閉表示機構部８を揺動保持体８１の内側面に突設した軸部８１ａをフレーム２の側板部２１に透設した軸孔部２１ａに軸支して揺動自在に保持させ、常時バネ８４により開閉表示機構部８の表示部８３の開極表示部８３ａをカバー１ｂに設けた表示孔１１から臨ませるように付勢するものである。
【００１５】
このように構成されたものは、開閉表示機構部８を、リンク機構部４を配置した金属製のフレーム２の側板部２１に保持させたものであるので、筐体１とフレーム２との間の組付け公差に影響されることなく開閉表示機構部８は的確に可動接触子６の開閉状態を表示できるものである。
【００１６】
また、フレーム２の側板部２１、２１間にリンク機構部４を配置して、フレーム２の側板部２１の外側から開閉表示機構部８を保持させた構成とすれば、開閉表示機構部８は作業空間の広い側板部２１の外側から取り付できるので、この取付作業は容易なものであり、また、リンク機構部４を組付けたフレーム２をベース本体１ａに設置後においても取り付けできるものである。さらに、カバー１ｂに開閉表示機構部８がフレーム２の側板部２１から外れるの防止する仕切り板１２を設けたものとすれば、カバー１ｂをベース本体１ａに被せるだけで開閉表示機構部８がフレーム２から外れることがなく、開閉表示機構部８とフレーム２との間に別異の外れ防止手段を設ける必要がないので部品点数が少なく安価に製造できるものである。
【図面の簡単な説明】
【００１７】
【図１】本発明の実施形態をオン状態で示す一部切欠斜視図。
【図２】本発明の実施形態を示す横断面図。
【図３】本発明の実施形態をオフ状態で示す一部切欠斜視図。
【図４】本発明の実施形態をオフ状態で示す平面図。
【図５】本発明の実施形態をトリップ状態で示す一部切欠斜視図。
【図６】本発明の実施形態を接点溶着時におけるトリップ状態を示す一部切欠斜視図。
【図７】本発明の実施形態を接点溶着時におけるトリップ状態を示す平面図。
【図８】本発明の実施形態の要部を示す斜視図。
【図９】本発明の開閉表示機構部の取付工程を示す斜視図。
【符号の説明】
【００１８】
1b  カバー
11  表示孔
２  フレーム
21  側板部
４  リンク機構部
６  可動接触子
８  開閉表示機構部
【図１】
2006260872.tif 000003
【図２】
2006260872.tif 000004
【図３】
2006260872.tif 000005
【図４】
2006260872.tif 000006
【図５】
2006260872.tif 000007
【図６】
2006260872.tif 000008
【図７】
2006260872.tif 000009
【図８】
2006260872.tif 000010
【図９】
2006260872.tif 000011